(57)【特許請求の範囲】
【請求項１】
コンピュータから入力される第１の画像データの解像度に対応した解像度のマトリクス構造の表示部と、前記第１画像データに基づき前記表示部を駆動する第１の駆動手段と、コンピュータから入力され、前記第１画像データより低い解像度の第２の画像データに基づき前記表示部を駆動する第２の駆動手段と、前記第１または第２の画像データの入力に応じ、あるいは与えられる指示に応じて前記第１の駆動手段による駆動と第２の駆動手段による駆動とを切り替える駆動切替え手段と、入力装置からのデータ入力先を本表示装置とコンピュータとで切り替える入力切替え手段とを具備し、
前記第２駆動手段は前記表示部の水平方向解像度に対応させて、前記第２画像データの各水平方向ラインのデータを、その各画素のデータを隣接画素用にコピーすることによって、水平方向に拡大して供給するとともに、この拡大率に対応した本数の単位でコモンラインを選択することにより前記表示部を駆動するものであり、
前記第１駆動手段による駆動時に、前記入力装置により特定の入力操作が行われると、前記駆動切替え手段は、前記第２駆動手段による駆動に切り替えるとともに、前記入力切替え手段は前記データ入力先を前記コンピュータに切り替え、前記第２駆動手段による駆動時に前記第１画像データが入力されたときは、前記駆動切替え手段は前記第１駆動手段による駆動に切り替えるとともに、前記入力切替え手段は、前記データ入力先を本表示装置に切り替える、ことを特徴とする表示装置。
【請求項２】
前記第１画像データは接続されているコンピュータからのプリントデータであり、前記第２画像データはそのコンピュータからのモニタデータであることを特徴とする請求項１に記載の表示装置。
【請求項３】
前記入力装置はキー入力装置であることを特徴とする請求項１に記載の表示装置。
【発明の詳細な説明】
【０００１】
【発明の属する技術分野】
本発明は、高精細なマトリクス構造の表示装置であって、解像度制御を改良したものに関する。
【０００２】
【従来の技術】
従来、パソコン用として一般的に使用されるモニタとプリンタには、２倍以上の解像度の違いがある。
【０００３】
【発明が解決しようとする課題】
マトリクス構造を用いたパソコン用のモニタでのプリントビューワでは、上述の解像度の違いのため、モニタデータの表示を拡大しなければならない。また、拡大することによって、カラムラインの本数が増え、１画面のリフレッシュに多くの時間を要する。
【０００４】
本発明の目的は、このような従来技術の問題点に鑑み、プリントデータに基づく高解像度の表示を行うとともに、モニタデータに基づく低解像度の表示を画面のリフレッシュに多くの時間を要することなく行うことができる表示装置を提供することにある。
【０００５】
【課題を解決するための手段】
この目的を達成するため本発明の表示装置は、コンピュータから入力される第１の画像データの解像度に対応した解像度のマトリクス構造の表示部と、前記第１画像データに基づき前記表示部を駆動する第１の駆動手段と、コンピュータから入力され、前記第１画像データより低い解像度の第２の画像データに基づき前記表示部を駆動する第２の駆動手段と、前記第１または第２の画像データの入力に応じ、あるいは与えられる指示に応じて前記第１の駆動手段による駆動と第２の駆動手段による駆動とを切り替える駆動切替え手段と、入力装置からのデータ入力先を本表示装置とコンピュータとで切り替える入力切替え手段とを具備し、前記第２駆動手段は前記表示部の水平方向解像度に対応させて、前記第２画像データの各水平方向ラインのデータを、その各画素のデータを隣接画素用にコピーすることによって、水平方向に拡大して供給するとともに、この拡大率に対応した本数単位でコモンラインを選択することにより前記表示部を駆動するものであり、前記第１駆動手段による駆動時に、前記入力装置により特定の入力操作が行われると、前記駆動切替え手段は、前記第２駆動手段による駆動に切り替えるとともに、前記入力切替え手段は前記データ入力先を前記コンピュータに切り替え、前記第２駆動手段による駆動時に前記第１画像データが入力されたときは、前記駆動切替え手段は前記第１駆動手段による駆動に切り替えるとともに、前記入力切替え手段は、前記データ入力先を本表示装置に切り替える、ことを特徴とする。
【０００６】
これによれば、第１画像データに基づく高精細な表示と、第２画像データに基づく低解像度の表示が切り替えて行われるとともに、第２画像データに基づく低解像度の表示を行う場合には、複数ラインごとに選択して表示部の駆動が行われるため、画面の書替えが高速に行われる。
【０００７】
【発明の実施の形態】
本発明の好ましい実施形態においては、前記駆動切替え手段は、前記第２駆動手段による駆動時に前記第１画像データが入力されたときは、前記第１駆動手段による駆動に切り替えるものである。また、前記駆動切替え手段は、装置に接続されている入力装置において特定の操作が行われたとき、前記第１駆動手段による駆動と第２駆動手段による駆動とを切り替えるものである。
また、入力装置からのデータ入力先を本表示装置とコンピュータとで切り替える入力切替え手段を備え、前記第１および第２の画像データは前記コンピュータから入力されるものであり、前記第１駆動手段による駆動時に、前記入力装置により特定の入力操作が行われると、前記駆動切替え手段は、前記第２駆動手段による駆動に切り替えるとともに、前記入力切替え手段は前記データ入力先を前記コンピュータに切り替え、前記第２駆動手段による駆動時に前記第１画像データが入力されたときは、前記駆動切換え手段は前記第１駆動手段による駆動に切り替えるとともに、前記入力切替え手段は、前記データ入力先を本表示装置に切り替える。
【０００８】
たとえば、前記第１画像データは、接続されているコンピュータのプリンタポートからのプリントデータであり、前記第２画像はそのコンピュータのモニタポートからのモニタデータである。また、前記入力装置はキー入力装置または外部スイッチである。
【０００９】
プリンタポートからプリントデータが入力された場合、表示をプリントデータの表示に切り替え、かつキー入力装置によるデータの入力先を本表示装置に切り替える。また、プリントデータの表示時にキー入力装置より特定のキー入力が行われると、表示をモニタポートからのモニタデータの表示に切り替え、拡大して表示を行い、かつキー入力装置によるデータの入力先をコンピュータへ切り替える。これにより、プリントデータ表示では高精細表示が行われ、モニタデータ表示では、高速な画面書換えによる表示が行われる。
【００１０】
【実施例】
（実施例１）
図１は本発明の第１の実施例に係る表示装置の構成を示すブロック図である。同図に示されるように、この装置２００は、コンピュータ１００のＣＲＴ出力とプリンタ出力に接続されており、データ入力装置であるキーボード３００も表示装置２００を経由してコンピュータ１００へ接続されている。キーボード３００から出力されるデータは、セレクタ２１３がモニタモードであれば、キーボードポート２０１を経由してコンピュータ１００に転送される。表示部２２２は、２０４８×１５３６ドットの解像度（１０２４×７６８の２倍）を有する。図２と３は、本実施例の真理値表であり、図２は、コモンラインが２ライン同時に駆動される場合を示す。図６は、プリントビューワモード時の表示画素の拡大図であり、図７は、モニタモード時の表示画素の拡大図である。
【００１１】
図１に示されるように、コンピュータ１００のアナログのＣＲＴ出力（１０２４×７６８ドット）が表示装置２００のＣＲＴポート２０３に接続されている。ＰＬＬ２０７によって発生されたクロックを用い、このアナログ信号はＡ／Ｄ変換機２０４によってデジタル化され、ラインバッファ２０５へ書き込まれる。その際、周波数逓倍機２０６によって、Ａ／Ｄ変換に使用したクロックの２倍の周波数がラインバッファ２０５へ接続され、書込み時に該クロックにより、画像データが２倍のサイズとなり隣接ビットヘコピーされる。セレクタ２１１は、電源オン時はモニタ側をセレクトしているので、上記画像データがディスプレイコントローラ２１２へ入力され、各表示ライン単位すなわち１ライン分ごとにシフトレジスタ２１７へ転送される。
【００１２】
図２は、ラインアドレスデコーダ２２０の真理値表である。同図に示されるように、入力されたアドレス値Ｎ×２のラインと（Ｎ×２）＋１の２ラインが選択され、コモンドライバ２２１によって同時に駆動される。
【００１３】
上述のように、コンピュータのモニタ用出力ポートから送出される１０２４×７６８ドットの画像データは、各画素が２倍つまり各画素のデータＤ０、Ｄ１、Ｄ２、・・・、Ｄ１０２３がデータＤ０、Ｄ０、Ｄ１、Ｄ１、・・・、Ｄ１０２３、Ｄ１０２３となるように、同一データが２個づつ並べられてラインメモリ２１８で一旦バッファリングされ、これによりセグメントドライバ２１９は表示部２２２を駆動する。一方コモン側は、ラインアドレスデコーダ２２０およびコモンドライバ２２１により２ラインずつが同時に駆動される。ディスプレイコントローラ２１２は、０〜１０２３迄のアドレスを発生する。このことにより、パソコン１００からのモニタ出力の１画素のデータは、４画素で表示される。
【００１４】
一方、プリント出力を行った場合は、コンピュータ１００のセントロニクスポートより、２０４８×１５３６ドットの解像度のビットマップデータがプリンタポート２０２を経由してインターフェース部２０８へ入力される。インターフェース部２０８へプリントデータが入力されると、制御部２１５へデータの着信が通知される。制御部２１５はデータ着信を検知すると、セレクタ２１１をプリンタポート側へ切替え、さらに、ラインアドレスデコーダ２２０をプリントビューワモードに選択する手段であるセレクタ２１３をプリントビューワモードに切り替える。また、ディスプレイコントローラ２１２をプリントビューワモードに切替える。インターフェース部２０８に入力されたプリントデータは、ＣＭＹＫ→ＲＧＢ変換部２０９により、ＣＭＹＫで出力されたデータがＲＧＢのデータに変換される。このデータがメモリ２１０に記憶され、セレクタ２１１を経由してディスプレイコントローラ２１２により、シフトレジスタ２１７へ転送される。ラインアドレスデコーダ２２０は、プリンタビューワモードに切替えられているので、図３の真理値表で示すように０〜１５３５迄のコモンラインが各々１ラインづつ駆動される。このようにして、表示装置のもつ最大解像度で画素が表示される。図６は、プリントビューワ時の表示の一部の拡大図であり、図７は、モニタモード時の表示の一部の拡大図である。
【００１５】
プリントビューワモード表示からモニタモード表示に戻したい場合には、接続しているキーボード３００において、特定のキーを押下（操作）する。すると、セレクタ２１３がプリントビューワモードであるため、インターフェース部２１４がキーボード３００から送信された入力データを受取り、制御部２１５が入力データを判別する。そのデータがモニタモードヘ遷移するコードであるなら、セレクタ２１３をモニタモード側へ切り替え、セレクタ２１１もモニタ側へ切り替える。さらに、ラインアドレスデコーダ２２０をモニタモードに切り替え、ディスプレイコントローラ２１２をモニタモードに切り替えることにより、各々の入力表示制御がモニタモード表示側に切り替わる。
【００１６】
（実施例２）
本実施例の表示装置について、図１を利用して説明する。表示部２２２は、２０４８×１５３６ドット解像度を有したものであり、コンピュータ１００のアナログのＣＲＴ出力（５１２×３８４ドット）が、ＣＲＴポート２０３を介して入力されている。入力されたアナログ信号は、ＰＬＬ２０７によって発生されたクロックを用い、Ａ／Ｄ変換機２０４によってデジタル化され、ラインバッファ２０５へ書き込まれる。周波数逓倍機２０６は、４倍の逓倍機であり、Ａ／Ｄ変換に使用したクロックの４倍の周波数がラインバッファ２０５ヘ接続され、ラインバッファ２０５への書込み時には該クロックにより、画像データが４倍のサイズとなり、隣接ビットヘコピーされる。
【００１７】
これ以降の制御は、実施例１と同様であるが、ラインアドレスデコーダ２２０のモニタモード時およびプリントビューワモード時における真理値表は、それぞれ図４および５に示す通りとなる。すなわち、モニタモード時では、入力されたアドレス値Ｎに基づき、図４に示すようにＮ×４のラインから（Ｎ×４）＋３迄の４ラインが選択され、コモンドライバ２２１によって４ライン同時に駆動される。
【００１８】
このように、コンピュータ１００のモニタ用出力ポートから送出される５１２×３８４ドットの画像データは、各画素が４倍つまり各画素のデータＤ０、Ｄ１、Ｄ２、・・・、Ｄ５１１がデータＤ０、Ｄ０、Ｄ０、Ｄ０、Ｄ１、Ｄ１、Ｄ１、Ｄ１、・・・、Ｄ５１１、Ｄ５１１、Ｄ５１１、Ｄ５１１となるように、同一データが４個ずつ並べられ、ラインメモリ２１８で一旦バッファリングされて、セグメントドライバ２１９による駆動に供される。一方、コモン側は、ラインアドレスデコーダ２２０およびコモンドライバ２２１により４ラインずつが同時に駆動される。ディスプレイコントローラ２１２は、０〜５１１迄のアドレスを発生する。このことにより、パソコン１００からのモニタ出力の１画素データは、１６画素で表示される。
プリントビューワモード表示からモニタモード表示に戻したい場合には、実施例１と同様な手段で、表示を切り替えることができる。
【００１９】
（実施例３）
図１の構成において、プリントビューワモードとモニタモードのそれぞれの表示を任意に切り替えたい場合、接続しているキーボード３００において、所定のキーを押下（操作）する。すると、セレクタ２１３がプリントビューワモードであれば、インターフェース部２１４がキーボード３００から送信された入力データを受け取り、制御部２１５が入力データを判別する。そのデータがモニタモードヘ遷移するコードであるなら、セレクタ２１３をモニタモード側へ切り替え、セレクタ２１１もモニタ側へ切り替える。さらに、ラインアドレスデコーダ２２０をモニタモードに切り替え、ディスプレイコントローラ２１２をモニタモードに切り替えることにより、モニタモードの表示解像度で表示データを表示することが可能となる。
【００２０】
一方、セレクタ２１３がモニタモードの場合は、キーボード３００で押下（操作）された入力データは、キーボードポート２０１を経由してコンピュータ１００に転送され、コンピュータ１００の制御回路が入力データを判別する。そのデータがプリントビューワモードヘ遷移するコードであるならば、コンピュータ１００のセントロニクスポートよりビットマップデータがプリンタポート２０２を経由してインターフェース部２０８へ入力される。これ以降は、実施例１と同じ制御が行われ、プリントビューワモードの表示解像度で表示データを表示することが可能となる。
【００２１】
【発明の効果】
以上説明したように本発明によれば、表示部の水平方向解像度に対応させて、第２画像データの各水平方向ラインのデータを、その各画素のデータを隣接画素用にコピーすることによって、水平方向に拡大して供給するとともに、この拡大率に対応した本数単位でコモンラインを選択することにより表示部を駆動するようにしたため、第１画像データによる高精細表示と第２画像データによる低解像度表示を切り替えて行う場合、第２画像データによる低解像度表示を高速書替えで行うことができる。
【００２２】
より具体的には、コモンラインを複数単位で同時に選択して駆動させ、セグメントラインのデータを２倍や４倍にすることによって、低解像度のモニタデータを拡大して表示するようにしたため、プリントデータの表示を高精細で行うとともに、モニタデータの表示においては、高速な画面書換えが可能となる。
【図面の簡単な説明】
【図１】  本発明の第１の実施例に係る表示装置の構成を示すブロック図である。
【図２】  図１の装置におけるラインアドレスデコーダのモニタモード時での真理値表の図である。
【図３】  図１の装置におけるラインアドレスデコーダのプリントビューワモード時での真理値表の図である。
【図４】  本発明第２の実施例におけるラインアドレスデコーダのモニタモード時での真理値表の図である。
【図５】  本発明第２の実施例におけるラインアドレスデコーダのプリントビューワモード時での真理値表の図である。
【図６】  図１の装置におけるプリントビューワモード時の表示画素の拡大図である。
【図７】  図１の装置におけるモニタモード時の表示画素の拡大図である。
【符号の説明】
１００：コンピュータ、２００：表示装置、２０１：キーボードポート、２０２：プリンタポート、２０３：ＣＲＴポート、２０４：Ａ／Ｄ変換機、２０５：ラインバッファ、２０６：周波数逓倍機、２０７：ＰＬＬ、２０８：Ｉ／Ｆ部、２０９：ＣＭＹＫ→ＲＧＢ変換部、２１０：メモリ、２１１：セレクタ、２１２：ディスプレイコントローラ、２１３：セレクタ、２１４：Ｉ／Ｆ、２１５：制御部、２１７：シフトレジスタ、２１８：ラインメモリ、２１９：セグメントドライバ、２２０：ラインアドレスデコーダ、２２１：コモンドライバ、２２２：表示部、３００：キーボード。
【図１】
0003809283.tif 000002
【図２】
0003809283.tif 000003
【図３】
0003809283.tif 000004
【図４】
0003809283.tif 000005
【図５】
0003809283.tif 000006
【図６】
0003809283.tif 000007
【図７】
0003809283.tif 000008